(57)【要約】【課題】簡単な構造で耕耘爪の切削角を変更でき、かつ耕耘爪が土から受ける反力に十分に耐え得るロータリ耕耘装置を提供する。【解決手段】軸心回りに回転駆動可能な爪軸の外周に爪取付フランジを設け、この爪取付フランジに耕耘爪の取付基部を重ね合わせると共に一対の取付ボルトによって該爪取付フランジに耕耘爪の取付基部を締結し、一方の取付ボルトを他方の取付ボルトの軸心回りの複数の取付位置に位置変更可能とするための位置変更許容穴を前記爪取付フランジに設け、この位置変更許容穴の縁部と前記一方の取付ボルトとの間の空間をうめて該一方の取付ボルトを各取付位置に位置決めすべく、前記位置変更許容穴に嵌め込まれる介装部材を有する。【選択図】図４
2015084683.tif 000002
【特許請求の範囲】
【請求項１】
軸心回りに回転駆動可能な爪軸の外周に爪取付フランジを設け、この爪取付フランジに耕耘爪の取付基部を重ね合わせると共に一対の取付ボルトによって該爪取付フランジに耕耘爪の取付基部を締結し、
一方の取付ボルトを他方の取付ボルトの軸心回りの複数の取付位置に位置変更可能とするための位置変更許容穴を前記爪取付フランジに設け、この位置変更許容穴の縁部と前記一方の取付ボルトとの間の空間をうめて該一方の取付ボルトを各取付位置に位置決めすべく、前記位置変更許容穴に嵌め込まれる介装部材を有することを特徴とするロータリ耕耘装置。
【請求項２】
前記位置変更許容穴を円形穴に形成し、前記介装部材を該円形穴に適合する円板状部材で構成し、この円板状部材に、前記一方の取付ボルトを挿通する爪取付穴を該円板状部材の中心から偏心した位置に形成したことを特徴とする請求項１に記載のロータリ耕耘装置。
【請求項３】
前記位置変更許容穴を前記他方の取付ボルトの軸心を中心とする円弧状長穴で構成し、この円弧状長穴に、前記一方の取付ボルトを該円弧状長穴内を移動可能に挿通し、前記介装部材は前記一方の取付ボルトを前記円弧状長穴の長手方向一端側と他端側とに位置決め可能な形状に形成されていることを特徴とする請求項１に記載のロータリ耕耘装置。
【発明の詳細な説明】
【技術分野】
【０００１】
本発明は、耕耘爪の取付角度を変更可能として該耕耘爪の切削角（土に打ち込む角度）を可変させることができるロータリ耕耘装置に関するものである。
【背景技術】
【０００２】
ロータリ耕耘装置において、耕耘爪の切削角が大きいと耕耘土の反転性はよいが消費馬力は大きくなる。また、大きな反転性の必要がない作業形態の場合は耕耘爪の切削角が小さい方が省馬力化を図る上で有利である。そこで、１台のロータリ耕耘装置で、耕耘作業形態に応じて耕耘爪の切削角を変更できるようにするのがよい。
この耕耘爪の切削角を可変させることができるロータリ耕耘装置として特許文献１に開示されたロータリ耕耘装置がある。
【０００３】
このロータリ耕耘装置にあっては、軸心回りに回転駆動される爪軸を筒状の外軸と、この外軸に同心状に内装される筒状の内軸とから同心二重軸構造とし、前記外軸に爪ホルダを設け、この爪ホルダに耕耘爪の基部を１本の取付ボルトによって取付固定している。前記耕耘爪の基部には係合部が形成され、この係合部に係合する被係合部を爪軸の内軸に設けている。
【０００４】
このロータリ耕耘装置にあっては、耕耘爪の取付角度を変更するには、先ず、前記取付ボルトを緩め、その後、外軸に対して内軸を軸心回りに相対回転させることにより、被係合部が係合部を取付ボルトの軸心回りに揺動させる。係合部が取付ボルトの軸心回りに揺動すると、耕耘爪が取付ボルトの軸心回りに揺動し該耕耘爪の取付角度が変更する。これによって、耕耘爪の切削角が変更可能とされている。また、爪軸の軸心方向一端側に、外軸と内軸の周方向の位相を変える内軸回転手段が設けられている。
【先行技術文献】
【特許文献】
【０００５】
【特許文献１】特開平７−１０７８０２号公報
【発明の概要】
【発明が解決しようとする課題】
【０００６】
前記従来のロータリ耕耘装置にあっては、耕耘爪の取付角度を変更する爪取付角度変更機構の構造が複雑であり、コスト高となるという問題がある。また、爪取付角度変更機構が、耕耘爪が土から受ける反力に十分に耐え得るかどうかの問題もある。
そこで、本発明は、前記問題点に鑑み、簡単な構造で耕耘爪の切削角を変更でき、かつ耕耘爪が土から受ける反力に十分に耐え得るロータリ耕耘装置を提供することを課題とする。
【課題を解決するための手段】
【０００７】
前記技術的課題を解決するために本発明が講じた技術的手段は、以下に示す点を特徴とする。
請求項１に係る発明では、軸心回りに回転駆動可能な爪軸の外周に爪取付フランジを設け、この爪取付フランジに耕耘爪の取付基部を重ね合わせると共に一対の取付ボルトによって該爪取付フランジに耕耘爪の取付基部を締結し、
一方の取付ボルトを他方の取付ボルトの軸心回りの複数の取付位置に位置変更可能とするための位置変更許容穴を前記爪取付フランジに設け、この位置変更許容穴の縁部と前記一方の取付ボルトとの間の空間をうめて該一方の取付ボルトを各取付位置に位置決めすべく、前記位置変更許容穴に嵌め込まれる介装部材を有することを特徴とする。
【０００８】
請求項２に係る発明では、前記位置変更許容穴を円形穴に形成し、前記介装部材を該円形穴に適合する円板状部材で構成し、この円板状部材に、前記一方の取付ボルトを挿通する爪取付穴を該円板状部材の中心から偏心した位置に形成したことを特徴とする。
請求項３に係る発明では、前記位置変更許容穴を前記他方の取付ボルトの軸心を中心とする円弧状長穴で構成し、この円弧状長穴に、前記一方の取付ボルトを該円弧状長穴内を移動可能に挿通し、前記介装部材は前記一方の取付ボルトを前記円弧状長穴の長手方向一
端側と他端側とに位置決め可能な形状に形成されていることを特徴とする。
【発明の効果】
【０００９】
本発明によれば、以下の効果を奏する。
請求項１に係る発明によれば、一方の取付ボルトを他方の取付ボルトの軸心回りに位置変更させることで、耕耘爪の切削角を変更させることができ、且つ、位置変更許容穴の縁部と一方の取付ボルトとの間の空間をうめる介装部材によって、一方の取付ボルトを各取付位置で動かないようにしっかりと保持することができる。また、耕耘爪が土から受ける反力を介装部材が受けてくれるので、該反力に対して十分に耐え得る。また、簡単な構成で耕耘爪の切削角を変更できる構造のものを提供することができる。
【００１０】
請求項２に係る発明によれば、位置変更許容穴内で介装部材を回転させるだけで、一方の取付ボルトの取付位置を容易に変更することができる。また、耕耘爪に形成されるボルト挿通穴のピッチが多少異なる耕耘爪であっても、耕耘爪を取り付けることができる。
請求項３に係る発明によれば、一方の取付ボルトを円弧状長穴からなる位置変更許容穴内を移動させるだけで、一方の取付ボルトの取付位置を容易に変更することができる。
【図面の簡単な説明】
【００１１】
【図１】ロータリ耕耘装置を三点リンク機構によってトラクタ車体の後部に装着した状態を示す側面図である。
【図２】ロータリ耕耘装置の背面断面図である。
【図３】耕耘部の側面図である。
【図４】耕耘爪の取付状態の一形態を示す側面図である。
【図５】耕耘爪の取付状態の他形態を示す側面図である。
【図６】（ａ）は図４のＢ−Ｂ線矢視断面図、（ｂ）は図４のＣ−Ｃ線矢視断面図である。
【図７】一実施形態の要部を示す側面図である。
【図８】他の実施形態の要部の側面図であり、（ａ）は耕耘爪の取付状態の一形態を示す側面図、（ｂ）は耕耘爪の取付状態の他形態を示す側面図である。
【図９】他の形態に係る耕耘部の耕耘爪取付状態の一形態を示す側面図である。
【図１０】他の形態に係る耕耘部の耕耘爪取付状態の一形態を示す背面図である。
【図１１】他の形態に係る耕耘部の耕耘爪取付状態の他形態を示す側面図である。
【図１２】他の形態に係る耕耘部の耕耘爪取付状態の他形態を示す背面図である。
【発明を実施するための形態】
【００１２】
以下、本発明の実施の形態を図面を参照して説明する。
図１、２において、１はサイドドライブ式のロータリ耕耘装置を示している。このロータリ耕耘装置１はトラクタ車体２の後部に３点リンク機構３等の連結機構を介して昇降可能に連結される。
前記ロータリ耕耘装置１は、左右方向中央部に位置するギヤケース４と、このギヤケース４から左右両側方に突出したサポートアーム５Ｌ，５Ｒと、一方（左側）のサポートアーム５Ｌの外端に取り付けられた伝動ケース６と、他方（右側）のサポートアーム５Ｒに取り付けられたサイドフレーム７とを有するロータリ機枠８を備えている。
【００１３】
前記伝動ケース６とサイドフレーム７の下部には、回転軸９がそれぞれ左右軸回りに回転自在に設けられている。これら回転軸９間には左右方向の軸心を有する爪軸１０が設けられ、該爪軸１０は各回転軸９に連結されている。
ロータリ機枠８には左右連結ブラケット１１及びマスト１２が設けられ、左右連結ブラケット１１には３点リンク機構３の左右一対のロアリンク１３の後端が連結され、マスト１２には３点リンク機構３のトップリンク１４が連結されている。
【００１４】
ギヤケース４にはＰＩＣ軸１５が設けられ、このＰＩＣ軸１５にはトラクタ車体２のＰＴＯ軸１６からジョイント１７を介して回転動力が伝達される。このＰＩＣ軸１５に伝達された動力は、ギヤケース４内のギヤ伝動機構１８、左サポートアーム５Ｌ内の伝動軸１９及び伝動ケース６内のチェーン伝動手段２０を介して左側の回転軸９に伝達される。この左側の回転軸９に伝達される動力によって爪軸１０が軸心回りに回転駆動される。
【００１５】
爪軸１０は図１に示す矢印Ａ方向に回転駆動する。この爪軸１０には爪取付フランジ２１が固定され、この爪取付フランジ２１に複数本の耕耘爪２２が取付固定されている。これら爪軸１０、爪取付フランジ２１、耕耘爪２２で耕耘部２３を形成している。
この耕耘部２３の上方は主カバー２４によって覆われ、耕耘部２３の後方は図示省略の後部カバーによって覆われる。
【００１６】
サイドフレーム７及び伝動ケース６には、耕深調整用のスキッド２５が上下位置調整自在にかつ着脱自在に取付けられている。なお、左右スキッド２５はどちらか片方のみでもよい。
このロータリ耕耘装置１にあっては、耕耘部２３を図１の矢印Ａ方向に回転駆動することにより、耕耘爪２２が土壌に突入して該土壌を耕起すると共に、該耕起した土塊を後方に放てきして後部カバーに衝当させて砕土する。
【００１７】
図２に示すように、前記爪軸１０は左右方向の軸心を有する円筒状回転軸であり、前記爪取付フランジ２１は爪軸１０の軸心方向（左右方向）に一定の間隔をおいて多数枚設けられている。
図３に示すように、本実施形態では、これら各爪取付フランジ２１の左右一方の側面に、６本の耕耘爪２２が爪軸回転方向Ａ前後一対の取付ボルト２６Ｆ，２６Ｒと、該取付ボルト２６Ｆ，２６Ｒに螺合される取付ナット２７によって締結されている。
【００１８】
爪取付フランジ２１は、リング状円板によって構成されていて爪軸１０に同心状に外嵌され、該爪軸１０に溶接等によって取付固定されている。この爪取付フランジ２１の外周側には、前記取付ボルト２６Ｆ，２６Ｒが挿通される爪取付穴２８Ｆ，２８Ｒが周方向に間隔をおいて設けられている。この爪取付穴２８Ｆ，２８Ｒは爪軸回転方向Ａで隣接する爪取付穴２８Ｆ，２８Ｒの２つで１組とされ、この２つで１組の爪取付穴２８Ｆ，２８Ｒが爪取付フランジ２１の周方向に所定間隔をおいて６組設けられている。１組の爪取付穴２８Ｆ，２８Ｒによって１本の耕耘爪２２が爪取付フランジ２１に取付固定される。
【００１９】
図４、図５及び図６に示すように、１組の爪取付穴２８Ｆ，２８Ｒのうち、爪軸回転方向Ａ後側の爪取付穴２８Ｒ（以下、単に後側爪取付穴という）は爪取付フランジ２１に直接貫通形成されている。爪軸回転方向Ａ前側の爪取付穴２８Ｆ（以下、単に前側爪取付穴という）は爪取付フランジ２１に設けられた介装部材２９に貫通形成されている。この介装部材２９は爪取付フランジ２１に貫通形成された位置変更許容穴３０に嵌め込まれている。
【００２０】
後側爪取付穴２８Ｒ及び前側爪取付穴２８Ｆは、左右方向の軸心を有すると共に取付ボルト２６Ｆ，２６Ｒの軸部の径に対応する（適合する）円形穴に形成されている。
前記位置変更許容穴３０は取付ボルト２６Ｆ，２６Ｒのより大径の円形穴に形成され、介装部材２９は外径がこの位置変更許容穴３０に略一致する円板状部材で形成されており、この介装部材２９は位置変更許容穴３０に対して、軸心回りに回転自在であると共に軸心方向（左右方向）に挿脱自在である。
【００２１】
また、図７に示すように、前側爪取付穴２８Ｆは、介装部材２９の中心Ｘから偏心した位置に形成されている（前側爪取付穴２８Ｆの軸心Ｚが介装部材２９の中心Ｘに対して偏心した位置に位置している）。
したがって、介装部材２９を位置変更許容穴３０内でその軸心Ｘ回りに回転させることにより、爪軸回転方向Ａ前側の取付ボルト２６Ｆが爪軸回転方向Ａ後側の取付ボルト２６Ｒの軸心Ｙ回りに２つの取付位置（図７の実線及び仮想線で示す位置）に位置変更可能とされている。
【００２２】
そして、介装部材２９は位置変更許容穴３０の縁部と爪軸回転方向Ａ前側の取付ボルト２６Ｆとの間の空間をうめ、該取付ボルト２６Ｆを各取付位置でガタツキなく位置決め固定する。
前記耕耘爪２２は、図２及び図３に示すように、板材をＬ字形に屈曲形成してなるＬ形爪によって形成されている。この耕耘爪２２は、爪取付フランジ２１に取り付けられる取付基部３１と、この取付基部３１から爪取付フランジ２１の径方向外方に向かうに従って爪軸回転方向Ａ後方に移行する方向に延出する縦板部３２と、この縦板部３２の延出端側
から左右方向に延出する横板部３３とを有する。取付基部３１と縦板部３２とは板面が左右方向を向くように取り付けられ、横板部３３は縦板部３２に対して略直交している。
【００２３】
本実施形態では、１枚の爪取付フランジ２１に対して、伝動ケース６側に向かって屈曲している左向きの耕耘爪２２と、サイドフレーム７側に向かって屈曲している右向きの耕耘爪２２とが、爪軸回転方向Ａに交互に取り付けられている。
また、本実施形態では、１本の左向き耕耘爪２２と該左向き耕耘爪２２に隣接する１本の右向き耕耘爪２２とで１組とした場合、爪取付フランジ２１に３組の左右向き耕耘爪２２が１２０°づつ変位して配置固定されている。
【００２４】
縦板部３２及び横板部３３の爪軸回転方向Ａ前縁側には、それぞれ刃部３４が形成され、横板部３３には、縦板部３２からの延出方向の外端部にも刃部３４が形成されている。
各耕耘爪２２の取付基部３１には、該取付基部３１を爪取付フランジ２１の側面に重ね合わせた状態で前記一対の爪取付穴２８Ｆ，２８Ｒに一致する一対のボルト挿通穴３５Ｆ，３５Ｒが貫通形成されている。
【００２５】
図４及び図６に示すように、耕耘爪２２の取付基部３１を爪取付フランジ２１の一側面に重ね合わせると共にボルト挿通穴３５Ｆ，３５Ｒと爪取付穴２８Ｆ，２８Ｒとを一致させ、これらボルト挿通穴３５Ｆ，３５Ｒ及び爪取付穴２８Ｆ，２８Ｒに取付ボルト２６Ｆ，２６Ｒを挿通し、該取付ボルト２６Ｆ，２６Ｒに取付ナット２７を螺合することにより、耕耘爪２２が爪取付フランジ２１に締結固定されている。
【００２６】
前記介装部材２９の位置変更許容穴３０からの左右方向一方への抜止めは、耕耘爪２２の取付基部３１によってなされている。また、介装部材２９の位置変更許容穴３０からの左右方向他方への抜止めは、取付ナット２７と介装部材２９との間に介在された抜止め部材３６（ワッシャ）によってなされている。
前記構成の実施形態のものにあっては、図７に示すように、介装部材２９を軸心Ｘ回りに回転させて、爪軸回転方向Ａ前側の取付ボルト２６Ｆの位置を爪軸回転方向Ａ後側の取付ボルト２６Ｒの軸心Ｙ回りに位置変更することにより、図４及び図５に示すように、耕耘爪２２の取付角度を変更することができ、これによって、耕耘爪２２を土に打ち込む角度である切削角Ｄを変更することができる。
【００２７】
図４及び図５に示すように、このＬ形爪にあっては、切削角Ｄは、耕耘爪２２の最大回転軌跡Ｅの接線であって且つ耕耘爪２２の縦板部３２の刃部３４の刃縁３４ａの爪回転半径方向の先端部Ｆに接すると共に該先端部Ｆから爪軸回転方向Ａ後方に延びる線Ｇと、該先端部Ｆから爪軸回転方向Ａ後方側に延びる横板部３３の板面Ｈとの成す角度である。
図４は、耕起した土塊の反転性を重視した、切削角Ｄの大きい耕耘爪２２の標準の取付状態を示しており、図５は、省馬力を重視した、切削角Ｄの小さい耕耘爪２２の取付状態を示している。
【００２８】
また、本実施形態では、図４と図５とに示す耕耘爪２２の取付状態において耕耘爪２２の最大回転軌跡Ｅの半径が略一致するように、爪軸回転方向Ａ前側の取付ボルト２６Ｆの位置を変更できるように設計されている（爪軸回転方向Ａ前側の取付ボルト２６Ｆの位置を変更しても耕耘部２３の回転半径は略変わらない）。
図８は、他の実施形態に係る耕耘爪２２の取付角度変更手段を示している。
【００２９】
この図８に示す実施形態のものにあっては、位置変更許容穴３０が爪軸回転方向Ａ後側の取付ボルト２６Ｒの軸心Ｙを中心とする円弧状長穴によって構成されている。
爪軸回転方向Ａ前側の取付ボルト２６Ｆは該円弧状長穴３０内を移動可能に挿通されている。したがって、この実施形態の場合は、爪軸回転方向Ａ前側の取付ボルト２６Ｆを爪軸回転方向Ａ後側の取付ボルト２６Ｒの軸心回りに位置変更可能とするための位置変更許容穴３０が、爪軸回転方向Ａ前側の取付ボルト２６Ｆを挿通する前側爪取付穴２８Ｆを兼ねている。
【００３０】
前記介装部材２９は、爪軸回転方向Ａ前側の取付ボルト２６Ｆを位置変更許容穴３０の長手方向一端側又は他端側に位置させたときに、位置変更許容穴３０と爪軸回転方向Ａ前側の取付ボルト２６Ｆとの間の空間に嵌め込まれる。
したがって、この実施形態の場合は、爪軸回転方向Ａ前側の取付ボルト２６Ｆを位置変
更許容穴３０の長手方向一端側又は他端側に位置させることにより、２位置の取付位置に変更可能とされている。
【００３１】
また、この介装部材２９は、位置変更許容穴３０と爪軸回転方向Ａ前側の取付ボルト２６Ｆとの間の空間に嵌め込まれた際に、爪軸回転方向Ａ前側の取付ボルト２６Ｆに接当する第１の円弧状接当面３７と、位置変更許容穴３０の長手方向の端面に接当する第２の円弧状接当面３８と、位置変更許容穴３０の径内側の面に接当する第３の円弧状接当面３９と、位置変更許容穴３０の径外側の面に接当する第４の円弧状接当面４０とを有する。
【００３２】
したがって、介装部材２９を位置変更許容穴３０と爪軸回転方向Ａ前側の取付ボルト２６Ｆとの間の空間に嵌め込むことにより、位置変更許容穴３０の縁部と爪軸回転方向Ａ前側の取付ボルト２６Ｆとの間の空間をうめ、該爪軸回転方向Ａ前側の取付ボルト２６Ｆをガタツキなく位置決め固定する。
その他の構成については、前述した実施形態と同様に構成される。
【００３３】
前記各実施形態のものにあっては、爪軸回転方向Ａ前側の取付ボルト２６Ｆを爪軸回転方向Ａ後側の取付ボルト２６Ｒの軸心Ｙ回りに位置変更させることで、耕耘爪２２の切削角Ｄを変更させることができ、且つ、位置変更許容穴３０の縁部と爪軸回転方向Ａ前側の取付ボルト２６Ｆとの間の空間をうめる介装部材２９によって、爪軸回転方向Ａ前側の取付ボルト２６Ｆを各取付位置で動かないようにしっかりと保持することができる。また、耕耘爪２２が土から受ける反力を介装部材２９が受けてくれるので、該反力に対して十分に耐え得る。また、簡単な構成で耕耘爪２２の切削角を変更できる構造のものを提供することができる。
【００３４】
また、位置変更許容穴３０を円形穴に形成し、介装部材２９を該円形穴に適合する円板状部材で形成することにより、位置変更許容穴３０内で介装部材２９を回転させるだけで、爪軸回転方向Ａ前側の取付ボルト２６Ｆの取付位置を容易に変更することができる、また、耕耘爪２２に形成されるボルト挿通穴３５Ｆ，３５Ｒのピッチが多少異なる耕耘爪２２であっても、耕耘爪２２を取り付けることができる。
【００３５】
また、位置変更許容穴３０を爪軸回転方向Ａ後側の取付ボルト２６Ｒの軸心Ｙを中心とする円弧状長穴に形成し、この円弧状長穴３０に、爪軸回転方向Ａ前側の取付ボルト２６Ｆを該円弧状長穴３０内を移動可能に挿通し、介装部材２９を爪軸回転方向Ａ前側の取付ボルト２６Ｆを該円弧状長穴３０の長手方向一端側と他端側とに位置決め可能な形状に形成することにより、爪軸回転方向Ａ前側の取付ボルト２６Ｆを位置変更許容穴３０内を移動させるだけで、該取付ボルト２６Ｆの取付位置を容易に変更することができる。
【００３６】
なお、前記構成において、介装部材２９の左右方向他方への抜止めを取付ナット２７や取付ボルト２８Ｆの頭部によって行ってもよい。
また、前記実施形態では、耕耘爪２２としてＬ形爪を採用した場合を例示したが、このＬ形爪に限定されることはなく、耕耘爪２２として、なたづめを採用し、このなたづめの切削角Ｄを可変させることができるように、該なたづめを前述した取付角度変更手段（介装部材２９，位置変更許容穴３０）を介して爪取付フランジ２１に取り付けるようにしてもよい。
【００３７】
また、本実施形態では、爪軸回転方向Ａ前側の取付ボルト２６Ｆの取付位置を、２位置に変更可能としたものを例示したが、これに限定されることはなく、介装部材２９を複数用意すれば、爪軸回転方向Ａ前側の取付ボルト２６Ｆの取付位置を、３位置以上に変更可能である（切削角Ｄの角度を３種類以上に変更可能である）。
図９〜１２は、他の形態の耕耘部２３の構成を示している。
【００３８】
この耕耘部２３にあっては、１つの爪取付フランジ２１に複数の種類の耕耘爪２２を取り付けられるように、一の種類の耕耘爪２２Ｊを取り付けるための爪取付穴４１Ｆ，４１Ｒと、他の種類の耕耘爪２２Ｋを取り付けるための爪取付穴４２Ｆ，４２Ｒとを１つの爪取付フランジ２１に形成したものである。これによって、一台のロータリ耕耘装置１で、作業に合わせた異なる性能を発揮させることができる。
【００３９】
図例では、爪取付フランジ２１に、畑での耕耘性能のよいＬ形爪からなる耕耘爪２２Ｊを取り付けるための爪取付穴４１Ｆ，４１Ｒと、水田での耕耘性能のよいなたづめからな
る耕耘爪２２Ｋを取り付けるための爪取付穴４２Ｆ，４２Ｒとを形成したものを例示している。
図９及び図１０は、爪取付フランジ２１にＬ形爪２２Ｊを取り付けた場合を示している。この場合にあっては、左右方向両端部の爪取付フランジ２１には、左右方向中央側を向くＬ形爪２２Ｊが取り付けられており、左右方向両端の爪取付フランジ２１の間の爪取付フランジ２１には、左向きのＬ形爪２２Ｊと右向きのＬ形爪２２Ｊとが爪軸回転方向Ａに交互に取り付けられている。
【００４０】
また、図１１及び図１２は、爪取付フランジ２１になたづめ２２Ｋを取り付けた場合を示している。この場合にあっては、左右方向端部の爪取付フランジ２１には、左右方向中央側を向くなたづめ２２Ｋが取り付けられており、左右方向両端の爪取付フランジ２１の間の爪取付フランジ２１には、該爪取付フランジ２１の一側面と他側面に、左向きのなたづめ２２Ｋと右向きのなたづめ２２Ｋとがそれぞれ１本づつ取り付けられている。
【００４１】
なお、図９〜１２に示す形態の耕耘部２３では、１つの爪取付フランジ２１に２種の耕耘爪２２Ｊ，２２Ｋを取り付け得るように構成したが、１つの爪取付フランジ２１に３種以上の耕耘爪２２を取り付け得るように構成してもよい。また、一の種類の耕耘爪２２Ｊを取り付けるための爪取付穴４１Ｆ，３１Ｒと、他の種類の耕耘爪２２Ｋを取り付けるための爪取付穴４２Ｆ，４２Ｒとを、一部又は全部兼用するようにしてもよい。
【符号の説明】
【００４２】
１０    爪軸
２１    爪取付フランジ
２２    耕耘爪
２６Ｆ  取付ボルト
２６Ｒ  取付ボルト
２９    介装部材
３０    位置変更許容穴
３１    取付基部
【図１】
2015084683.tif 000003
【図２】
2015084683.tif 000004
【図３】
2015084683.tif 000005
【図４】
2015084683.tif 000006
【図５】
2015084683.tif 000007
【図６】
2015084683.tif 000008
【図７】
2015084683.tif 000009
【図８】
2015084683.tif 000010
【図９】
2015084683.tif 000011
【図１０】
2015084683.tif 000012
【図１１】
2015084683.tif 000013
【図１２】
2015084683.tif 000014